(57)【要約】【課題】オーディオ増幅装置において、サブウーハのオートパワーオン動作時の再生信号の欠落を防止する。【解決手段】サブウーハにオーディオ信号を増幅して出力するオーディオ増幅装置において、低周波成分を抽出する第１のフィルタと、サブウーハの再生範囲外の周波数成分を抽出する第２のフィルタと、第１のフィルタが抽出した低周波成分に第２のフィルタが抽出した周波数成分を加算して出力する加算手段と、第２のフィルタが抽出した周波数成分を加算手段が加算するかしないかを切り換える切換手段と、サブウーハに電源電力を供給する電力供給手段と、電力供給手段の電力供給量を検出しサブウーハの電源がオンかオフかを判別する判別手段と、電源オフと判別した場合に切換手段を加算する方に切り換え、電源オンと判別した場合に切換手段を加算しない方に切り換える制御手段を備える。【選択図】  図１
2004193667.tif 000002
【特許請求の範囲】
【請求項１】
低音域のオーディオ信号を増幅する低音域増幅器を備えた低音再生用スピーカを含む複数のスピーカ装置にオーディオ信号を増幅して出力するオーディオ増幅装置において、低音再生用スピーカ装置に出力するオーディオ信号の低周波成分を抽出する第１のフィルタ手段と、低音再生用スピーカ装置の再生範囲外のオーディオ信号の周波数成分を抽出する第２のフィルタ手段と、前記第１のフィルタ手段が抽出した低周波成分に前記第２のフィルタ手段が抽出した周波数成分を加算する加算手段と、前記加算手段が加算したオーディオ信号を低音再生用スピーカ装置に出力する出力手段と、前記第２のフィルタ手段によって抽出された周波数成分を前記加算手段が加算するかしないかを切り換える切換手段と、低音再生用スピーカ装置の低音域増幅器に電源電力を供給する電力供給手段と、前記電力供給手段から低音域増幅器への電力供給量を検出することによって低音再生用スピーカ装置の電源スイッチがオンであるかオフであるかを判別する判別手段と、前記判別手段が低音再生用スピーカ装置の電源スイッチがオフであると判別した場合、前記切換手段を前記加算手段が加算する方に切り換え、前記判別手段が低音再生用スピーカ装置の電源スイッチがオンであると判別した場合、前記切換手段を前記加算手段が加算しない方に切り換える制御を行う制御手段を備えることを特徴とするオーディオ増幅装置。
【請求項２】
請求項１に記載のオーディオ増幅装置であって、前記第２のフィルタ手段が抽出した周波数成分のオーディオ信号のレベルを調節する調節手段を備え、前記制御手段は、前記切換手段が前記加算手段が加算する方に切り換えられていて前記判別手段が低音再生用スピーカ装置の電源スイッチがオフであると判別した場合、前記調節手段にオーディオ信号のレベルを増加させる制御をすることを特徴とするオーディオ増幅装置。
【発明の詳細な説明】
【０００１】
【発明の属する技術分野】
本発明は、オーディオ信号の低周波成分を抽出して低音再生用スピーカ装置に出力するオーディオ増幅装置に関する。
【０００２】
【従来の技術】
音場再生、サラウンド再生等に用いられるオーディオ増幅装置として、デジタル信号処理回路（デジタルシグナルプロセッサ：Ｄｉｇｉｔａｌ  Ｓｉｇｎａｌ  Ｐｒｏｃｅｓｓｏｒ（以下「ＤＳＰ」という））を内蔵し、オーディオ信号を、音場再生、サラウンド再生用にデジタルオーディオ信号処理し、音量を制御して、多系統（多チャンネル）で出力する装置が、ＡＶアンプ、サラウンドアンプ等の名称で知られている。多チャンネルのサラウンド再生は、映画やコンサートなど映像を伴うオーディオ信号の再生を行う場合、臨場感を増すなどその再生効果を高めるために多く用いられる。
【０００３】
このようなオーディオ増幅装置は、サラウンド再生用の複数のスピーカにオーディオ信号を出力する。低音域増幅器（以下、「低音域アンプ」という）を内蔵した低音再生用スピーカ装置（以下、「サブウーハ」という）を使用する場合、オーディオ増幅装置は、オーディオ信号から低周波成分を低周波通過フィルタ（ローパスフィルタ：Ｌａｗ  Ｐａｓｓ  Ｆｉｌｔｅｒ（以下、「ＬＰＦ」という））によって抽出し、サブウーハに出力する。
【０００４】
サブウーハに内蔵された低音域アンプは、予め設定された時間（例えば１５分）を経過して、予め設定された基準レベル以上の入力信号レベルが検出されない場合、自動的に電源スイッチを切断（オフ）するオートパワーオフ機能を備える。また、パワーオフされた状態であって予め設定した基準レベル以上の入力信号レベルが検出された場合、自動的に電源を入れる（オンする）オートパワーオン機能を備える。オートパワーオフ機能及びオートパワーオン機能は、消費電力の節減のために用いられる。（例えば、特許文献１参照。）
【０００５】
オーディオ増幅装置にサブウーハを接続し、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）等を用いてオーディオ信号を再生している途中であっても、オーディオ増幅装置からサブウーハへのオーディオ信号の低周波成分が、サブウーハに内蔵する低音域アンプによって検出されなければ、オートパワーオフ機能により、サブウーハに内蔵する低音域アンプの電源スイッチがオフされる。また、オーディオ増幅装置からサブウーハへのオーディオ信号の低周波成分がサブウーハに内蔵する低音域アンプによって検出されると、オートパワーオン機能により、電源スイッチがオンされる。
【０００６】
【特許文献１】
特開平８−２４２１２４号公報
【０００７】
【発明が解決しようとする課題】
従来のオーディオ増幅装置は、サブウーハの電源スイッチがオンであるかオフであるかを検出するものではないため、ＤＶＤやＣＤ等の光ディスク等に記録されているオーディオ信号を再生している途中に、サブウーハのオートパワーオフ機能によって電源スイッチがオフされた後、電源スイッチをオフした状態が持続する場合がある。
【０００８】
その後、オートパワーオン機能によって電源スイッチがオンされた場合、オーディオ信号の低周波成分が検出されてから、サブウーハ内蔵の低音域アンプの電源スイッチがオンされ、サブウーハから音として出力されるまでに時間がかかり、その時間分のオーディオ信号が欠落する。
本発明の目的は、サブウーハのオートパワーオン動作時の再生信号の欠落を防止するオーディオ増幅装置を提供することにある。
【０００９】
【課題を解決するための手段】
本発明の請求項１に記載のオーディオ増幅装置は、低音域のオーディオ信号を増幅する低音域増幅器を備えた低音再生用スピーカを含む複数のスピーカ装置にオーディオ信号を増幅して出力するオーディオ増幅装置において、低音再生用スピーカ装置に出力するオーディオ信号の低周波成分を抽出する第１のフィルタ手段と、低音再生用スピーカ装置の再生範囲外のオーディオ信号の周波数成分を抽出する第２のフィルタ手段と、前記第１のフィルタ手段が抽出した低周波成分に前記第２のフィルタ手段が抽出した周波数成分を加算する加算手段と、前記加算手段が加算したオーディオ信号を低音再生用スピーカ装置に出力する出力手段と、前記第２のフィルタ手段によって抽出された周波数成分を前記加算手段が加算するかしないかを切り換える切換手段と、低音再生用スピーカ装置の低音域増幅器に電源電力を供給する電力供給手段と、前記電力供給手段から低音域増幅器への電力供給量を検出することによって低音再生用スピーカ装置の電源スイッチがオンであるかオフであるかを判別する判別手段と、前記判別手段が低音再生用スピーカ装置の電源スイッチがオフであると判別した場合、前記切換手段を前記加算手段が加算する方に切り換え、前記判別手段が低音再生用スピーカ装置の電源スイッチがオンであると判別した場合、前記切換手段を前記加算手段が加算しない方に切り換える制御を行う制御手段を備えるものである。
【００１０】
本発明の請求項２に記載のオーディオ増幅装置は、請求項１に記載のオーディオ増幅装置であって、前記第２のフィルタ手段が抽出した周波数成分のオーディオ信号のレベルを調節する調節手段を備え、前記制御手段は、前記切換手段が前記加算手段が加算する方に切り換えられていて前記判別手段が低音再生用スピーカ装置の電源スイッチがオフであると判別した場合、前記調節手段にオーディオ信号のレベルを増加させる制御をするものである。
【００１１】
【発明の実施の形態】
図１は、本発明の一実施例のオーディオ増幅装置の構成を示すブロック図である。デジタルオーディオ入力端子１は、ＣＤプレーヤ、ＤＶＤプレーヤ等からのデジタルオーディオ信号を入力する。アナログオーディオ入力端子２は、ＣＤプレーヤ、ＤＶＤプレーヤ等からのアナログオーディオ信号を入力する。ＡＤ変換部（Ａｎａｌｏｇ  ｔｏ  Ｄｉｇｉｔａｌ  Ｃｏｎｖｅｒｔｅｒ（以下、「ＡＤＣ」という））３は、アナログオーディオ入力端子２から入力されたアナログオーディオ信号をデジタルオーディオ信号に変換する。デジタル信号処理部（デジタルシグナルプロセッサ（ＤＳＰ））４は、デジタルオーディオ入力端子１、又はＡＤＣ３から入力されるデジタルオーディオ信号をサラウンド再生用のオーディオ信号にする信号処理を行い、８系統（８チャンネル）のオーディオ信号として出力する。
【００１２】
この８チャンネルのオーディオ信号は、聴取者の前方左に配置されるスピーカに入力される前方左（ＦＬ：Ｆｒｏｎｔ  Ｌｅｆｔ）チャンネルのオーディオ信号、聴取者の前方右に配置されるスピーカに入力される前方右（ＦＲ：Ｆｒｏｎｔ  Ｒｉｇｈｔ）チャンネルのオーディオ信号、聴取者の前方中央に配置されるスピーカに入力される中央（Ｃ：Ｃｅｎｔｅｒ）チャンネルのオーディオ信号、聴取者の左に配置されるスピーカに入力されるサラウンド左（ＳＬ：Ｓｕｒｒｏｕｎｄ  Ｌｅｆｔ）チャンネルのオーディオ信号、聴取者の右に配置されるサラウンド右（ＳＲ：Ｓｕｒｒｏｕｎｄ  Ｒｉｇｈｔ）チャンネルのオーディオ信号、聴取者の後方左に配置されるスピーカに入力されるサラウンド後方左（ＳＢＬ：Ｓｕｒｒｏｕｎｄ  Ｂａｃｋ  Ｌｅｆｔ）チャンネルのオーディオ信号、聴取者の後方右に配置されるサラウンド後方右（ＳＢＲ：Ｓｕｒｒｏｕｎｄ  Ｂａｃｋ  Ｒｉｇｈｔ）チャンネルのオーディオ信号、低音再生用のサブウーハ（ＳＷ：Ｓｕｂ  Ｗｏｏｆｅｒ）チャンネルのオーディオ信号である。
【００１３】
ＤＡ変換部（Ｄｉｇｉｔａｌ  ｔｏ  Ａｎａｌｏｇ  Ｃｏｎｖｅｒｔｅｒ（以下、「ＤＡＣ」という））５ａ〜５ｈは、ＤＳＰ４からの８チャンネルのデジタルオーディオ信号を、各々、アナログオーディオ信号に変換する。音量調節部６は、オーディオ信号を増幅する増幅部を含み、ＤＡＣ５ａ〜５ｈから入力されるアナログオーディオ信号の音量を調節し増幅して出力する。操作部８は、使用者が、オーディオ信号処理、音量調節の操作をするための操作ボタンを備える。ＣＰＵ９は、操作部８の操作を受けて、ＤＳＰ４、音量調節部６を制御する。
【００１４】
電力入力部１０は、電源プラグ等を介して交流電力を入力し、オーディオ増幅装置内各部に供給するとともに、電力供給量検出部１１、電力出力部１２を介して、サブウーハに電力を供給する。電力供給量検出部１１は、サブウーハへの電力供給量を検出し、ＣＰＵ９に検出値を入力する。ＣＰＵ９は電力供給量検出部１１の検出値によって、サブウーハの電源がオンであるかオフであるかを判別する。
【００１５】
図２は、本実施例のＤＳＰ４の構成を示すブロック図である。入力端子４１は、デジタルオーディオ入力端子１、又はＡＤＣ３から出力されるデジタルオーディオ信号を入力する。信号処理部４２は、入力端子４１から入力されたデジタルオーディオ信号をサラウンド再生用のオーディオ信号にする信号処理を行い、８チャンネルのオーディオ信号として出力する。
【００１６】
ＨＰＦ（Ｈｉｇｈ  Ｐａｓｓ  Ｆｉｌｔｅｒ）４３ａは、ＦＬチャンネルのオーディオ信号の低周波成分を除去し高周波成分を抽出して出力端子５０ａに出力する。ＨＰＦ４３ｂは、ＦＲチャンネルのオーディオ信号の低周波成分を除去し高周波成分を抽出して出力端子５０ｂに出力する。ＨＰＦ４３ｃはＣチャンネルのオーディオ信号の低周波成分を除去し高周波成分を抽出して出力端子５０ｃに出力する。ＨＰＦ４３ｄは、ＳＬチャンネルのオーディオ信号の低周波成分を除去し高周波成分を抽出して出力端子５０ｄに出力する。ＨＰＦ４３ｅは、ＳＲチャンネルのオーディオ信号の低周波成分を除去し高周波成分を抽出して出力端子５０ｅに出力する。ＨＰＦ４３ｆは、ＳＢＬチャンネルのオーディオ信号の低周波成分を除去し高周波成分を抽出して出力端子５０ｆに出力する。ＨＰＦ４３ｇは、ＳＢＲチャンネルのオーディオ信号の低周波成分を除去し高周波成分を抽出して出力端子５０ｇに出力する。
【００１７】
加算器４４は、ＦＬチャンネル、ＦＲチャンネル、Ｃチャンネル、ＳＬチャンネル、ＳＲチャンネル、ＳＢＬチャンネル、及びＳＢＲチャンネルのオーディオ信号を加算する。ＬＰＦ４５ａは、加算器４４から入力されるオーディオ信号の高周波成分を除去し低周波成分を抽出して出力する。ＬＰＦ４５ｂは、ＳＷチャンネルのオーディオ信号の高周波成分を除去し低周波成分を抽出して出力する。
【００１８】
ＨＰＦ４６は、加算器４４から入力されるオーディオ信号の低周波成分を除去し高周波成分を抽出してレベル調節部４７に出力する。ＨＰＦ４６のカットオフ周波数は、サブウーハの再生帯域外とするため、１ｋＨｚ以上とする。レベル調節部４７は、ＨＰＦ４６から出力される高周波成分の信号レベルを調節してスイッチ４８に出力する。スイッチ４８は、ＨＰＦ４６の出力の接続（オン）と切断（オフ）を切り換える。スイッチ４８のオンとオフは、ＣＰＵ９によって切り換えられる。
【００１９】
加算器４７は、ＬＰＦ４５ａから入力される低周波成分と、ＬＰＦ４５ｂから入力される低周波成分と、スイッチ４８がオンである場合にＨＰＦ４６から入力される高周波成分を加算し、ＳＷチャンネルのオーディオ信号として出力端子５０ｈに出力する。
【００２０】
図３は、本実施例のオーディオ増幅装置に接続して使用される低音再生用スピーカ装置（サブウーハ）の構成を示すブロック図である。
入力端子１３は、オーディオ増幅装置からのオーディオ信号を入力する端子である。ＬＰＦ１４は、入力端子１３から入力されたオーディオ信号の高周波成分を除去し、サブウーハが再生する低周波成分を抽出する。音量調節部１５は、ＬＰＦ１４から入力されたオーディオ信号の音量を調節する。アンプ１６は、音量調節部１５から入力されるオーディオ信号を増幅する。ＬＰＦ１４、音量調節部１５、アンプ１６は、増幅器１８を構成する。スピーカ１７は、アンプ１６から入力されるオーディオ信号を音として出力する。
【００２１】
レベル検出部１９は、入力端子１３から入力されるオーディオ信号レベルを検出し、オーディオ信号入力の有無を検出するために予め設定された基準レベルと比較する。レベル検出部１９の基準レベルは、サブウーハの製造者によって、オーディオアンプ装置のＳＷチャンネルのオーディオ信号出力端子のノイズレベル以上であって、サブウーハが出力する最小オーディオ信号レベルを製造者が決めて、設定される。制御部２０は、レベル検出部１９から入力される比較結果を示すデータにより、スイッチ２１を切り換えて、電力入力部２２による増幅器１５への電力の供給の接続（オン）と切断（オフ）を切り換え制御する。
【００２２】
電力入力部２２には、図１に示す電力出力部１２から電力が供給される。レベル検出部１９において入力端子１３から入力されるオーディオ信号レベルが基準レベル未満である場合、制御部２０はスイッチ２１をオフする（オートパワーオフ動作）。また、レベル検出部１９において入力端子１３から入力されるオーディオ信号レベルが基準レベル以上である場合、制御部２０はスイッチ２１をオンする（オートパワーオン動作）。
【００２３】
図１に示すＣＰＵ９が、電力供給量検出部１１の検出値によって、サブウーハの電源がオフしたと判断した場合、ＣＰＵ９は、図２に示すスイッチ４８をオンにする。
スイッチ４８をオンにした後もサブウーハの電源がオフであるとＣＰＵ９が判断した場合、ＣＰＵ９は、図２に示すレベル調節部４７を制御して、ＨＰＦ４６から出力される高周波成分の信号レベルを上げて出力する。
出力端子５０ｈを介して出力されるＳＷチャンネルのオーディオ信号が、サブウーハのレベル検出部１９に入力され、レベル検出部１９によってオーディオ信号が基準レベル以上であると検出された場合、制御部２０はスイッチ２１をオンにする。
なお、図３に示すように、サブウーハにおいて、カットオフ周波数１ｋＨｚ以上と設定したＨＰＦ４６からの高周波成分は、ＬＰＦ１４によって除去されるので、高周波成分はスピーカ１７から音として出力されない。
【００２４】
本実施例のオーディオ増幅装置によれば、サブウーハのオートパワーオフ動作を検出した場合、サブウーハにオートパワーオン動作させることができる。従って、オートパワーオン動作時の再生信号の欠落を防止することができる。
【００２５】
【発明の効果】
本発明のオーディオ増幅装置によれば、サブウーハのオートパワーオン動作時の再生音の欠落を防止し、低周波成分のオーディオ信号を再生することができる。
【図面の簡単な説明】
【図１】本発明のオーディオ増幅装置の一実施例の構成を示すブロック図である。
【図２】本実施例のＤＳＰの構成を示すブロック図である。
【図３】本実施例のオーディオ増幅装置に接続して使用される低音再生用スピーカ装置（サブウーハ）の構成を示すブロック図である。
【符号の説明】
１  デジタルオーディオ入力端子
２  アナログオーディオ入力端子
３  ＡＤ変換部（ＡＤＣ）
４  デジタル信号処理部（ＤＳＰ）
５ａ〜５ｈ  ＤＡ変換部（ＤＡＣ）
６、１５  音量調節部
７ａ〜７ｈ、５０ａ〜５０ｈ  出力端子
８  操作部
９  ＣＰＵ
１０、２２  電力入力部
１１  電力供給量検出部
１２  電力出力部
１３、４１  入力端子
１４、４５ａ〜４５ｂ  ローパスフィルタ（ＬＰＦ）
１６  アンプ
１７  スピーカ
１８  増幅器
１９  レベル検出部
２０  制御部
２１、４８  スイッチ
４２  信号処理部
４３ａ〜４３ｇ、４６  ハイパスフィルタ（ＨＰＦ）
４４、４９  加算器
４７  レベル調節部
【図１】
2004193667.tif 000003
【図２】
2004193667.tif 000004
【図３】
2004193667.tif 000005